(57)【要約】【課題】内部に配線を収納する配線幅木において配線工事を行う際に、該当箇所近傍の配線幅木のカバー部材をベース部材から取り外すことなく、開閉自在の蓋を有する開口部材を設けることで、配線処理を簡単に行うことができる幅木構造を提供することを目的とする。【解決手段】長手方向に連続する配線収納部及び係止受部を有し壁面下端部に固定される長尺のベース部材と、該ベース部材の係止受部に着脱自在に係止する係止突起を有するカバー部材と、前記ベース部材の係止受部に係止する係止片を有し表面側に開口自在の蓋を設けた開口部材とからなることを特徴とする配線幅木構造。【選択図】  図１
2010077657.tif 000002
【特許請求の範囲】
【請求項１】
長手方向に連続する配線収納部及び係止受部を有し壁面下端部に固定される長尺のベース部材と、該ベース部材の係止受部に着脱自在に係止する係止突起を有するカバー部材と、前記ベース部材の係止受部に係止する係止片を有し表面側に開口自在の蓋を設けた開口部材とからなることを特徴とする配線幅木構造。
【請求項２】
蓋がスライド開閉することを特徴とする請求項１に記載の配線幅木構造。
【請求項３】
蓋が端部に設けた回転軸を中心に前方に回転開閉することを特徴とする請求項１に記載の配線幅木構造。
【発明の詳細な説明】
【技術分野】
【０００１】
本発明は、内部に配線を収納する幅木において配線工事を行う際に、表面のカバー部材を取り外すことなく必要な部分のカバー部材が開閉できる配線機能を有する幅木構造に関するものである。
【背景技術】
【０００２】
近年、ＡＶ（オーディオビジュアル）機器やコンピューターが一般家庭においても普及したため、これらの機器に電力を供給する電源コードや通信コード、スピーカーコード等の多数の配線が必要となり、部屋の床面には各種配線が露出され美観を損ねるだけでなく、足を引っ掛けたりする虞がある。
【０００３】
このため、室内壁面下端部に、中空状で配線を収納できる配線幅木を設けて、前記問題点の解決を図っている。例えば、特許文献１に記載されているように、壁面に固定され内部に配線空間を有する長尺の帯板状ベース部材と、該ベース部材に着脱自在に取り付くカバー部材からなる配線幅木が知られている。
【特許文献１】特開２００２−２５６６９１公報
【発明の開示】
【発明が解決しようとする課題】
【０００４】
しかし、特許文献１の配線幅木を用いて配線の整理をする場合、各種機器類の設置場所近傍において、配線幅木のベース部材からカバー部材を取り外し配線の処理を行うが、カバー部材の紛失や破損が生じる虞があった。また、幅木内部からコードを外部に取り出す場合は、その都度カバー部材の必要箇所に開口部を切り抜きコードを通す必要があり面倒であった。
【０００５】
本発明は、かかる問題点に鑑みなされたものであり、内部に配線を収納する配線幅木において配線工事を行う際に、該当箇所近傍の配線幅木のカバー部材をベース部材から取り外すことなく、開閉自在の蓋を有する開口部材を設けることで、配線処理を簡単に行うことができる幅木構造を提供することを目的とする。
【課題を解決するための手段】
【０００６】
上記目的を解決するために、請求項１に係る配線幅木構造の発明は、長手方向に連続する配線収納部及び係止受部を有し壁面下端部に固定される長尺のベース部材と、該ベース部材の係止受部に着脱自在に係止する係止突起を有するカバー部材と、前記ベース部材の係止受部に係止する係止片を有し表面側に開口自在の蓋を設けた開口部材とからなることを特徴とする。
【０００７】
請求項２に係る発明は、請求項１に記載の開口部材の蓋がスライド開閉することを特徴とする。
【０００８】
請求項３に係る発明は、請求項１に記載の開口部材の蓋が端部に設けた回転軸を中心に前方に回転開閉することを特徴とする。
【発明の効果】
【０００９】
請求項１に係る発明によれば、長手方向に連続する配線収納部及び係止受部を有し壁面下端部に固定される長尺のベース部材と、該ベース部材の係止受部に着脱自在に係止する係止突起を有するカバー部材と、前記ベース部材の係止受部に係止する係止片を有し表面側に開口自在の蓋を設けた開口部材とからなるため、配線幅木から配線を外部に取り出したい部分のカバー部材を取り除き、開口部材の係止片をベース部材の係止受部に係止すると共に、蓋を開けて配線処理をし必要な部分を開放して配線を取り出すことができるので、カバー部材の紛失や破損が生じる虞がなくなり、部屋内に配線が露出され美観を損ねたり、足を引っ掛けたりする虞もなくなる。
【００１０】
請求項２に係る発明によれば、開口部材の蓋がスライド開閉するので、配線作業のために容易に蓋を開閉することができる。またスライド式のため配線を幅木から外部に取り出す場合も必要量だけ開けることができるので美観を損ねることがない。
【００１１】
請求項３に係る発明によれば、開口部材の蓋が端部に設けた回転軸を中心に前方に回転開閉するので、請求項２と同様に配線作業のために容易に蓋を開閉することができる。回転式のため開口部材の大きさの割に蓋すなわち開口部を大きくできるので、開口部材をコンパクトにでき室内で場所を取らず、構造が簡単でより安価に作ることができる。
【発明を実施するための最良の形態】
【００１２】
以下、本発明を実施するための実施形態を図面に基づき説明する。もちろん本発明は本実施形態の記載内容に限られるものではない。
【００１３】
図１は第一実施形態に係る配線幅木構造に関するもので、床面Ｂに載置し壁面Ａの下端部に固定される長尺のベース部材１０とカバー部材３０とからなる幅木において、幅木内部からコード５０を外部に取り出す部分に開口部材２０を設けている。該開口部材２０にはスライド式の蓋（上蓋２１ａ、下蓋２１ｂ）が設けられ、図１ではつまみ２３により下蓋２１ｂを横方向にスライドさせて開放し、開口部２５からコード５０を取り出している。上蓋２１ａは閉じているので、ゴミが中に侵入するのを防ぎ、見た目の美観も損ねない。また、作業の度にカバー部材３０を外すことによる係止部分の破損やカバー部材３０の紛失が生じる虞がなくなる。
【００１４】
図２は、カバー部材を取り付けた幅木部分の縦断面図であり、ベース部材１０は合成樹脂や金属からなり、床面Ｂに載置し壁面Ａの下端部に釘やビス等で固定される。ベース部材１０の表面側の上端部には上側係止受部１２ａが、下端部には下側係止受部１２ｂが設けられ、ベース部材１０の表面には収納部分を覆うカバー部材３０が設けられる。カバー部材３０も同じく合成樹脂や金属からなり、その裏面側の上端部には上側係止突起３２ａが、下端部には下側係止突起３２ｂが設けられ、夫々前記上側係止受部１２ａと下側係止受部１２ｂに弾性的に係止される。
【００１５】
本実施形態では配線収納部（１１ａ、１１ｂ）は配線支持片（１３ａ、１３ｂ）によって上下２箇所に配線できるようになっているが、１箇所又は３箇所以上に設けても、長手方向に連続せず部分的に設けてもかまわないし、配線が支持できれば違う形態でもかまわない。特に中央部の配線支持片１３ａはカバー部材３０に物が衝突した時に凹むのを防止する。
【００１６】
図３は、開口部材を取り付けた幅木部分の縦断面図であり、設置部分のカバー部材３０を取り外して開口部材２０を固定する。開口部材２０にはカバー部材３０と同様の位置に上側係止片２２ａと下側係止片２２ｂが設けられ、上側係止受部１２ａと下側係止受部１２ｂに係止することにより簡単に設置することができる。開口部材２０も合成樹脂や金属からなる。開口部材２０はカバー部材３０、ベース部材１０の上から覆うようにして被せるので、開口部材２０とカバー部材３０の納まりも美麗にできる。
【００１７】
開口部材２０の表面側には左右にスライドする蓋（上蓋２１ａ、下蓋２１ｂ）を開口自在に設けた。蓋は蓋受部２４とスライド溝２６に沿って可動するつまみ２３によりスライド自在に支持される。上下の蓋（２１ａ、２１ｂ）を開けて内部の配線の作業を行い、ＡＶ（オーディオビジュアル）機器やコンピューターに接続するために内部からコードを外部に取り出し、又は逆に外部から内部へコードを収納するため、必要な蓋を必要量開放してコードを通すことにより、部屋内に配線が露出され美観を損ねたり、足を引っ掛けたりする虞もなく、配線収納部１１にゴミが侵入するのを防ぎ、見た目の美観も損ねない。
【００１８】
開口部材２０の蓋については、本実施形態では2箇所の蓋が横方向にスライドするものであるが、１箇所または３箇所以上でもよく、横でなく縦方向にスライドしても良い。スライド方法についても本実施形態の構造に限定されない。
【００１９】
図４は第二実施形態に係る配線機能を有する幅木構造に関するもので、開口部材４１は第一実施形態に比較して小さく簡易な構造を有する。本開口部材４１は図５に示すように蓋４３が端部に設けた回転軸４４を中心に前方に回転開閉する。
【００２０】
図７は開口部材４０の縦断面図であり、開口部材４０は裏面側に上側係止片４２ａと下側係止片４２ｂを有する開口枠体４１と、下端部で回転軸４４で軸支される蓋体４３とで構成され、第一実施形態の開口部材２０と同様に合成樹脂や金属からなる。
【００２１】
開口部材４０をベース部材１０に固定する際には、第一実施形態と同様に設置部分のカバー部材３０を取り外して、ベース部材の上側係止受部１２ａと下側係止受部１２ｂに、開口部材の上側係止片４２ａと下側係止片４２ｂを夫々係止する。
【００２２】
開口枠体４１には枠一杯に開口部４５が設けられており、開口枠体４１の下端部に設けた軸受け孔に、蓋４３の下端部に設けた回転軸４４を挿入することで、回転軸４４を中心に蓋４３は前方に回転開閉する。第一実施形態のように蓋をスライドしないので、開口部材４０の大きさの割に蓋４３すなわち開口部４５を大きくできるので、開口部材４０をコンパクトにすることができ室内で場所を取らず、構造が簡単でより安価に作ることができる。  
【００２３】
蓋４３を前方に開放して内部での配線作業を行い、コード５０を外部に取り出し、又は逆に外部から内部へコード５０を収納するために、図６に示すように、必要部分にコード５０を通す開口孔４６を開けて蓋４３を閉めるので、配線収納部１１にゴミが侵入するのを防ぎ、見た目の美観も損ねない。
【００２４】
図８に示すように蓋４３に予め開口孔加工用溝４７を設けることで、少し力を加えて押さえれば簡単に孔を切り取ることができ、現場でカッター等を用いて蓋に開口孔を開ける作業が不要になる。図８では開口孔加工用溝４７として３箇所の円が設けられているが、個数や形状は適宜変更することができる。
【００２５】
横方向の配線幅木と縦方向の見切材６０を接合する場合は、幅木の上面を切り欠き見切材６０を接合するために、専用のジョイナーがなければ継ぎ目が目立つので見た目の美観を損ねるが、図９に示すように実施形態１の開口部材２０を用いれば、横方向の配線幅木と縦方向の見切材６０を接合する際に、開口部材２０によって全体を覆うことができるので、美麗な配線幅木構造が得られる。
【産業上の利用可能性】
【００２６】
配線幅木において、幅木内部から外部にコードを取り出す場合、配線処理を簡単に行うことができ、美観を損ねたり、足を引っ掛けたりしない室内を実現できる。
【図面の簡単な説明】
【００２７】
【図１】第一実施形態に係る配線幅木構造を示す斜視図。
【図２】第一実施形態に係るカバー部材を取り付けた幅木部分の縦断面図。
【図３】第一実施形態に係る開口部材を取り付けた幅木部分の縦断面図。
【図４】第二実施形態に係る配線幅木構造を示す斜視図。
【図５】第二実施形態に係る開口部材の蓋を開放した状態を示す斜視図。
【図６】第二実施形態に係る開口部材の蓋にコードを通した状態を示す斜視図。
【図７】第二実施形態に係る開口部材を取り付けた幅木部分の縦断面図。
【図８】開口孔加工用溝を設けた蓋の正面図。
【図９】横方向の配線幅木と縦方向の見切材の接合状態を示す斜視図。
【符号の説明】
【００２８】
１０                        ベース部材
１１ａ、１１ｂ              配線収納部
１２ａ、１２ｂ              係止受部  
１３ａ、１３ｂ              配線支持片
２０、４０                  開口部材      
２１ａ、２１ｂ、４３        蓋
２２ａ、２２ｂ、、４２ａ、４２ｂ    係止片
２３                        つまみ
２４                        蓋受部
２５、４５                  開口部
２６                        スライド溝
３０                        カバー部材
３２ａ、３２ｂ              係止突起
４１                        開口枠材          
４４                        回転軸
４６                        開口孔
４７                        開口孔加工用溝                        
５０                        コード
６０                        縦方向の見切材
【図１】
2010077657.tif 000003
【図２】
2010077657.tif 000004
【図３】
2010077657.tif 000005
【図４】
2010077657.tif 000006
【図５】
2010077657.tif 000007
【図６】
2010077657.tif 000008
【図７】
2010077657.tif 000009
【図８】
2010077657.tif 000010
【図９】
2010077657.tif 000011